(57)【特許請求の範囲】
【請求項１】
伸縮同期手段により同期的に伸縮する一方、伸縮補助手段を操作して伸縮動作を拘束したり拘束解除する構成の一対の伸縮脚によってテーブル板を支持してなり、前記伸縮脚は第１脚杆と、この第１脚杆を進退可能に保持した第２脚杆とで構成し、前記第２脚杆下端側内面に、第１脚杆を第２脚杆に対して進退案内するためのガイドキャップを設け、前記伸縮同期手段は、前記ガイドキャップに回動自在に設けた下部プーリと、前記第２脚杆上部側のテーブル板側に回動自在に設けた上部プーリと、これら上部プーリおよび下部プーリ間に掛け渡した線状部材とを備え、この線状部材を前記第１脚杆側に固定する構成としたことを特徴とするテーブル装置。
【請求項２】
前記ガイドキャップは、前記第２脚杆下端開口端から、第２脚杆内に嵌入装着する構成とし、前記ガイドキャップ外側面に、伸縮同期手段を構成する下部プーリのスペースを確保するための一対のリブを突設すると共に、これらリブ間に、前記下部プーリを回動自在に保持するための軸受部を一体的に構成したことを特徴とする請求項１記載のテーブル装置。
【請求項３】
前記軸受部は、前記ガイドキャップ外側面に対して直交方向に突設し、この突設寸法を前記リブに比較して、若干小とした円筒形状とし、前記軸受部の外周面は、先端部分近傍の外径寸法を、ガイドキャップ外側面に近い箇所の外周面の外径寸法に比較して大となるように段差形成すると共に、ガイドキャップ外側面から外径寸法の大きい先端部に向かって、一対の切込溝を形成して、これら切込溝によって分離した箇所を、容易に径方向に向かって変形可能な変形片としたことを特徴とする請求項２記載のテーブル装置。
【請求項４】
前記伸縮補助手段は、ガススプリングであることを特徴とする請求項１記載のテーブル装置。
【発明の詳細な説明】
【０００１】
【発明の属する技術分野】
本発明は、一対の伸縮脚を同期的に伸縮可能とするテーブル装置に関し、より部品点数を減らして構造を単純化した、テーブル装置に関するものである。
【０００２】
【従来の技術】
従来より、病院をはじめとして家庭内においても用いられるテーブル装置として、ベッドのボトム上方に跨ぐようにもたらして使う、オーバーベッドテーブルがある。
かかるオーバーベッドテーブルとしては、例えば特開平７−２６５１３４号公報で開示されているように、一対の伸縮脚を、同期的に伸縮させるようにしている。この場合、前記一対の伸縮脚を、同期的に伸縮させるための手段として、筒状支持体と、この筒状支持体に対して上下動可能な筒状可動体とで構成する伸縮脚に、前記可動体下端側内壁面に取り付けた下側滑車と、可動体上方の水平連結部材側に配置した上側滑車とに掛け渡した線条体と、この線条体を支持体側に取着して構成する同期手段を用いている。
【０００３】
【発明が解決しようとする課題】
かかる同期手段において、筒状支持体に対して筒状可動体を円滑に上下動可能とするために、リニアガイド機構の他に、筒状支持体と筒状可動体との間に、何等かのスペース保持手段は必要である。
すなわち、上記伸縮脚に同期手段を設けるには、筒状可動体側に、下側滑車を取り付けたり、さらには前記スペース保持手段を配置するなど、どうしても、ねじなどの取付部品や、さらには、穴空けなどの加工工程を要することとなる。
本発明は、このような不都合を改善するために提案されたものであって、より部品点数や加工工程も減らし、しかも構造を単純化した、テーブル装置を提供することを目的とする。
【０００４】
【課題を解決するための手段】
前記した課題を解決するために、本発明では、請求項１において、伸縮同期手段により同期的に伸縮する一方、伸縮補助手段を操作して伸縮動作を拘束したり拘束解除する構成の一対の伸縮脚によってテーブル板を支持してなり、前記伸縮脚は第１脚杆と、この第１脚杆を進退可能に保持した第２脚杆とで構成し、前記第２脚杆下端側内面に、第１脚杆を第２脚杆に対して進退案内するためのガイドキャップを設け、前記伸縮同期手段は、前記ガイドキャップに回動自在に設けた下部プーリと、前記第２脚杆上部側のテーブル板側に回動自在に設けた上部プーリと、これら上部プーリおよび下部プーリ間に掛け渡した線状部材とを備え、この線状部材を前記第１脚杆側に固定する構成としたテーブル装置を提案する。
また本発明では、請求項２において、前記ガイドキャップは、前記第２脚杆下端開口端から、第２脚杆内に嵌入装着する構成とし、前記ガイドキャップ外側面に、伸縮同期手段を構成する下部プーリのスペースを確保するための一対のリブを突設すると共に、これらリブ間に、前記下部プーリを回動自在に保持するための軸受部を一体的に構成したテーブル装置を提案する。
また本発明では、請求項３において、前記軸受部は、前記ガイドキャップ外側面に対して直交方向に突設し、この突設寸法を前記リブに比較して、若干小とした円筒形状とし、前記軸受部の外周面は、先端部分近傍の外径寸法を、ガイドキャップ外側面に近い箇所の外周面の外径寸法に比較して大となるように段差形成すると共に、ガイドキャップ外側面から外径寸法の大きい先端部に向かって、一対の切込溝を形成して、これら切込溝によって分離した箇所を、容易に径方向に向かって変形可能な変形片としたテーブル装置を提案する。
さらに本発明では、請求項４において、前記伸縮補助手段は、ガススプリングであるテーブル装置を提案する。
【０００５】
請求項１によれば、第１脚杆を第２脚杆に対して進退させてテーブル板を昇降可能に支持することができ、第２脚杆に対して第１脚杆をガイドキャップによって円滑に伸縮させることができ、がたつくことなくテーブル板を昇降させることができる。この際、ガイドキャップに、伸縮同期手段を構成する下部プーリを回動自在に装着したことにより、下部プーリを取り付ける孔空け加工や回動軸等の装着加工は不要であり、部品点数も減らすことができる。
【０００６】
請求項２によれば、ガイドキャップには、下部プーリを回動自在に保持する軸受部を一体的に構成することで、別個に下部プーリを止め付けるための部品やそのための工程は不要となる。
【０００７】
請求項３によれば、下部プーリを、ガイドキャップに形成した軸受部に圧入するだけで、前記下部プーリをガイドキャップ外側面に近い箇所の外周面を軸として回動自在に保持することができる。
【０００８】
請求項４によれば、ガススプリングを操作することで、簡単に第１脚杆を第２脚杆に対して伸縮動作を拘束したり拘束解除することができる。その際、伸縮同期手段によって、一対の第１脚杆を同期して、それぞれ第２脚杆に対して、適度な緩衝速度で伸縮動作を行なうことができ、操作を停止することで伸縮動作を拘束し、テーブル板をその高さ位置で保持することができる。
【０００９】
【発明の実施の形態】
以下、本発明にかかるテーブル装置につき、ベッド上のマットレス上にもたらして使用するオーバーベッドテーブルの一つの実施の形態を示し、添付の図面に基づいて説明する。
図１、図２にオーバーベッドテーブル１を示す。このオーバーベッドテーブル１は、一対の伸縮脚２，２によってテーブル板受具３を介してテーブル板４を支持する構成としている。
前記一対の伸縮脚２，２は、同期的に昇降させる伸縮同期手段５を具備すると共に、伸縮補助手段６（以下、ガススプリング６とする）をいずれか一方の伸縮脚２に備え、前記テーブル板４の両端寄りのテーブル板受具３に設けた付属部品Ａ（例えばタオル掛け）下面中央から、前記ガススプリング６を拘束解除操作するための解除操作レバー７をそれぞれ露出するように配置している。
【００１０】
前記一対の伸縮脚２，２は、第１脚杆８を第２脚杆９に対して昇降ガイドユニット（図示省略）を介して進退可能に構成し、前記第１脚杆８，８基端部には、キャスタＣを介して床面に接地させる基部フレーム１０，１０を装着している。これら伸縮脚２，２のうちの一方の伸縮脚２における第１脚杆８内にガススプリング６が内蔵され、前記解除操作レバー７によってガススプリング６を拘束解除したり拘束状態とすることで、第２脚杆９を昇降させてテーブル板４を所望の高さに調節保持するようにしている（図２参照）。
【００１１】
また、前記一対の伸縮脚２，２に配置される伸縮同期手段５は、図２、図３に示すように、前記第２脚杆９下端側内面に嵌入装着したガイドキャップ１１に取着してなる下部プーリ１２，１２と、第２脚杆９上方のテーブル板受具３に回動可能に設けた上部プーリ１３，１３と、これら上部プーリ１３，１３および下部プーリ１２，１２間に掛け渡した線状部材１４とを備え、この線状部材１４を前記第１脚杆８側に固定した構成としている。
【００１２】
前記ガススプリング６は、第１脚杆９内に固設したガス封入シリンダ１５を有し、このシリンダ１５にガス圧によって支持されると共に、シリンダ１５から緩衝的に進退可能に突出するピストンロッド１６を有する。このピストンロッド１６先端側を前記第２脚杆１０頂部に取り付けたテーブル板受具３内側に臨入させると共に固定し、前記先端部からは、ピストンロッド１６を拘束／拘束解除するための操作軸１７を突出させている。この操作軸１７を前記解除操作レバー７によって拘束解除作動部材Ｋを介し押し込んだり、開放することにより、ピストンロッド１６を拘束／拘束解除するようにしている。
【００１３】
前記第１脚杆８は前記第２脚杆９に対し、第２脚杆９下端側内面に嵌入装着したガイドキャップ１１、および昇降ガイドユニット（図示省略）により、第１脚杆８を所定の間隔をもって第２脚杆９内に突没可能な寸法形状に構成している（図４参照）。
なお、前記昇降ガイドユニットとしては、図示および詳細な説明は省略するが、例えば前記第２脚杆９内面の第１脚杆８との対向面に、筒軸方向に配置した昇降ガイド部と、この昇降ガイド部に多数の転動体を介して移動自在な昇降部とによって構成したものを用いることができる。
【００１４】
そして、前記第１脚杆８を第２脚杆９に対して一定の位置関係を保持するためのガイドキャップ１１は、周知の合成樹脂の一体成形体で構成して、前記第２脚杆９下端開口端から、第２脚杆９内に嵌入して下縁部１１ａをねじ止めするようにしている（図４参照）。
前記下縁部１１ａは、ガイドキャップ１１の断面形状をなす、縦寸法、および横寸法に比較して、若干、外方向に突出する構成であり、また、ガイドキャップ１１内側空間は、前記第１脚杆８外形に倣う形状であり、且つガイドキャップ１１内側空間は、第１脚杆８外形に比較して若干大きな寸法としている。
そして、ガイドキャップ１１外側面には、伸縮同期手段５を構成する下部プーリ１２のスペースを確保するための一対のリブ１８，１８が突設され、かかるリブ１８，１８間に、前記下部プーリ１２を回動自在に保持するための軸受部１９を一体的に構成している（図５参照）。
【００１５】
前記軸受部１９は、先端を前記リブ１８，１８と同方向、すなわちガイドキャップ１１外側面に対して直交方向に突設した、円筒形状のものであり、先端の突設寸法が前記リブ１８，１８に比較して、若干、小としている。
またかかる軸受部１９の外周面は、先端部分近傍の外径寸法を、ガイドキャップ１１外側面に近い箇所の外周面の外径寸法に比較して大となるように、段差形成している。この場合、ガイドキャップ１１外側面に近い箇所の外周面の外径寸法は、装着すべき前記下部プーリ１２の挿通孔１２ａに内径とほぼ等しくしている。
そして、前記軸受部１９には、ガイドキャップ１１外側面から外径寸法の大きい先端部に向かって、一対の切込溝２０，２０を形成しており、かかる切込溝２０，２０によって分離した箇所を、容易に径方向内側に向かって変形可能な変形片２１としている。
すなわち、前記下部プーリ１２を軸受部１９の先端部側から、挿通孔１２ａを介して、前記変形片２１を変形させて、容易に圧入可能としている。
【００１６】
なお、前記ガイドキャップ１１におけるリブ１８，１８は、下部プーリ１２のスペースを確保する他、下部プーリ１２に掛け渡される線状部材１４のガイド手段としても機能している。
【００１７】
以上のようなオーバーベッドテーブル１における一対の伸縮脚２，２において、第１脚杆８を第２脚杆９に対して進退可能に組み付ける際、伸縮同期手段５を構成する下部プーリ１２を予めガイドキャップ１１外側面の軸受部１９に圧入装着する。
この際、下部プーリ１２を軸受部１９の先端部側から、挿通孔１２ａを介して押し込むのだが、軸受部１９における一対の切込溝２０，２０によって分離した変形片２１を、容易に径方向内側に向かって変形させて前記下部プーリ１２を回動可能に装着することができる（図５参照）。
【００１８】
そして、伸縮同期手段５の線状部材１４を下部プーリ１２に掛け渡した状態で、第１脚杆８をガイドキャップ１１に挿通しながら第２脚杆９内に、昇降ガイドユニットに沿って押し込んでいき、前記ガイドキャップ１１の下縁部１１ａを、第２脚杆９下端開口端に係合して、ねじ止め固定することができる。
なお、前記第１脚杆８基端部には、キャスタＣを介して床面に接地させる基部フレーム１０，１０を装着することができる。
【００１９】
このように、第２脚杆９に対して第１脚杆８を円滑に伸縮させるガイドキャップ１１に、伸縮同期手段５を構成する下部プーリ１２を、直接押し込み装着するだけで、前記下部プーリ１２を回動自在に保持することができ、これまでのように、下部プーリ１２を取り付ける穴空け加工や回動軸等の装着加工は不要であり、部品点数も減らすことができる。
すなわち、前記ガイドキャップ１１に、下部プーリ１２を回動自在に保持する軸受部１９を一体的に構成することで、別個に下部プーリ１２を止め付けるための部品やそのための工程は不要となる。
【００２０】
さらに前記下部プーリ１２を、ガイドキャップ１１に形成した軸受部１９に圧入するだけで、前記下部プーリ１２を回動自在に保持することができる。
【００２１】
【発明の効果】
本発明によれば、
（１）第２脚杆に対して第１脚杆をガイドキャップによって円滑に伸縮させることができる。この際、ガイドキャップに、伸縮同期手段を構成する下部プーリを回動自在に装着したことにより、下部プーリを取り付ける穴空け加工や回動軸等の装着加工は不要であり、部品点数も減らすことができる。
（２）ガイドキャップには、下部プーリを回動自在に保持する軸受部を一体的に構成することで、別個に下部プーリを止め付けるための部品やそのための工程は不要となる。
（３）下部プーリを、ガイドキャップに形成した軸受部に圧入するだけで、前記下部プーリを回動自在に保持することができる。
【００２２】
【図面の簡単な説明】
【図１】本発明にかかる伸縮脚を採用したテーブル装置の、一つの実施形態を示す、外観斜視図である。
【図２】図１に示すテーブル装置の側面説明図である。
【図３】図１に示すテーブル装置における機構説明図である。
【図４】図１に示すテーブル装置の第２脚杆基端側における、拡大要部破断説明図である。
【図５】図４に示す伸縮脚のガイドキャップと、伸縮同期手段を構成する下部プーリとの装着構成を示した、分解斜視説明図である。
【符号の説明】
１                          オーバーベッドテーブル
２                          伸縮脚
３                          テーブル板受具
４                          テーブル板
５                          伸縮同期手段
６                          ガススプリング
７                          解除操作レバー
８                          第１脚杆
９                          第２脚杆
１０                        基部フレーム
１１                        ガイドキャップ
１１ａ                      下縁部
１２                        下部プーリ
１２ａ                      挿通孔
１３                        上部プーリ
１４                        線状部材
１５                        シリンダ
１６                        ピストンロッド
１７                        操作軸
１８                        リブ
１９                        軸受部
２０                        切込溝
２１                        変形片
Ａ                          付属部品
Ｃ                          キャスタ
Ｋ                          拘束解除作動部材
【図１】
0003681001.tif 000002
【図２】
0003681001.tif 000003
【図３】
0003681001.tif 000004
【図４】
0003681001.tif 000005
【図５】
0003681001.tif 000006